(57)【特許請求の範囲】
【請求項１】
可撓長尺体を繰り出し可能に保持する保持部と、
前記保持部を、作業車に装備した姿勢変更操作自在な作業用アームに取付け可能な取付け部と、
前記保持部に保持した可撓長尺体をその保持部から繰り出されるように駆動移動自在な繰り出し部とを設けてあり、
前記取付け部を、バックホウの作業用アームに装着した上下揺動操作自在なバケットに取付け自在に設け、
前記バケットが、バケット先端部に、その幅方向に間隔を隔てて前方側に複数の爪を突設したものであり、
前記取付け部を、前記保持部を支持する支持部と、両端が前記支持部に連結されていて、前記バケットに巻き回して前記支持部を前記バケットの底面側に固縛可能な複数の固縛具とを設けて構成し、
前記固縛具の各々を、一端側が前記支持部に連結されていて、隣り合う前記爪間で前記バケット先端部に係止可能な係止部材の他端側と、一端側が前記支持部に連結されていて、前記バケットの後方側に巻き掛け可能な索条体の他端側とを連結して、前記支持部を前記バケットの底面側に固縛可能に構成し、
前記係止部材の少なくとも一つをバケット幅方向に移動自在に前記支持部に連結してある可撓長尺体誘導用支持具。
【請求項２】
前記保持部を取り付けた作業用アームの姿勢変更操作に伴う、その保持部に保持している可撓長尺体の強制的な変形を緩和する変形緩和部を設けてある請求項１記載の可撓長尺体誘導用支持具。
【請求項３】
前記保持部と前記取付け部とを相対回動可能に設けて、前記変形緩和部を構成してある請求項２記載の可撓長尺体誘導用支持具。
【発明の詳細な説明】
【０００１】
【発明の属する技術分野】
本発明は、可撓長尺体誘導用支持具に関する。
【０００２】
【従来の技術】
例えば都市ガス供給用の配管工事においては、道路下などに埋設してある老朽化した埋設管を更生又は更新するために、更生又は更新区間の地上側の道路などを工事用に占有した状態で、その埋設管の内側にポリエチレン管等の弾性的に曲げ変形可能な可撓管（可撓長尺体の一例) を弾性限度内で湾曲変形させながら引き込んだり、新たな可撓管を道路下などの地中に埋設するために、予め、牽引用のロッドを埋設区間の地中に挿通しておいて、埋設区間の地上側の道路などを工事用に占有した状態で、そのロッドの一端に連結した可撓管を、ロッドの牽引操作で埋設区間の地中に引き込ん埋設することが行われている。
【０００３】
そして、このような配管工事において、地上側に仮置きしてある可撓管を弾性限度内で湾曲変形させながら地中への引き込み位置に誘導するにあたって、従来、可撓長尺体の先端部を把持して引きずりながらその引き込み位置に誘導している。
【０００４】
【発明が解決しようとする課題】
可撓長尺体を弾性限度内で湾曲変形させながら地中への引き込み位置に誘導するにあたって、可撓長尺体を引きずりながらその引き込み位置に誘導しているので、可撓長尺体が傷付き易い欠点があるとともに、可撓長尺体の誘導方向側に障害物が存在するような場合は、その障害物の横側方を迂回するように引きずる必要があり、誘導作業が煩雑化する欠点がある。
【０００５】
本発明は上記実情に鑑みてなされたものであって、可撓長尺体を弾性限度内で湾曲変形させながら地中や地上の所望の配設位置に誘導するにあたって、可撓長尺体を傷付けにくい状態で、その誘導作業を簡略化できる可撓長尺体誘導用支持具を提供する点にある。
【０００６】
【課題を解決するための手段】
【０００７】
請求項１記載の可撓長尺体誘導用支持具の特徴構成は、可撓長尺体を繰り出し可能に保持する保持部と、前記保持部を、作業車に装備した姿勢変更操作自在な作業用アームに取付け可能な取付け部と、前記保持部に保持した可撓長尺体をその保持部から繰り出されるように駆動移動自在な繰り出し部とを設けてあり、前記取付け部を、バックホウの作業用アームに装着した上下揺動操作自在なバケットに取付け自在に設け、前記バケットが、バケット先端部に、その幅方向に間隔を隔てて前方側に複数の爪を突設したものであり、前記取付け部を、前記保持部を支持する支持部と、両端が前記支持部に連結されていて、前記バケットに巻き回して前記支持部を前記バケットの底面側に固縛可能な複数の固縛具とを設けて構成し、前記固縛具の各々を、一端側が前記支持部に連結されていて、隣り合う前記爪間で前記バケット先端部に係止可能な係止部材の他端側と、一端側が前記支持部に連結されていて、前記バケットの後方側に巻き掛け可能な索条体の他端側とを連結して、前記支持部を前記バケットの底面側に固縛可能に構成し、前記係止部材の少なくとも一つをバケット幅方向に移動自在に前記支持部に連結してある点にある。
【０００８】
〔作用〕
保持部を移動できるように、その取付け部を作業車に装備した姿勢変更操作自在な作業用アームに取り付けておいて、可撓長尺体を保持部に繰り出し可能に保持し、作業用アームの姿勢変更操作で保持部を上昇移動させて地上から持ち上げた可撓長尺体を、保持部から繰り出されるように繰り出し部で駆動移動させて、その可撓長尺体を、可撓長尺体誘導用支持具よりも繰り出し方向上手側部分と、可撓長尺体誘導用支持具よりも繰り出し方向下手側部分とに亘って、保持部を支点にして下向きに弾性的に湾曲変形させながら、繰り出し方向下手側部分を所望の配設位置に誘導することができる。
そして、可撓長尺体を地中や地上の所望の配設位置に誘導するにあたって、可撓長尺体の配設作業などに使用されることが多いバックホウを利用して、その作業用アームに装着した上下揺動操作自在なバケットに保持部を取り付けることで、その保持部を作業用アームに上下揺動操作自在に取り付けることができる。
また、保持部を支持する支持部と、両端がその支持部に連結されていて、バケットに巻き回して支持部をバケットの底面側に固縛可能な複数の固縛具とを取付け部に設けて、支持部を複数の固縛具でバケットの底面側に固縛できるようにしてあるので、バケット側に特別な加工を施すことなく、取付け部をバケットに固定できる。
また、固縛具の各々を、一端側が支持部に連結されていて、バケットの隣り合う爪間でバケット先端部に係止可能な係止部材の他端側と、一端側が支持部に連結されていて、バケットの後方側に巻き掛け可能な索条体の他端側とを連結して、支持部をバケットの底面側に固縛可能に構成してあるので、固縛具をバケットの隣り合う爪間に係止した外れ止め状態で、取付け部をバケットに固定できる。
その上、係止部材の少なくとも一つをバケット幅方向に移動自在に支持部に連結してあるので、爪の大きさや配置が異なる種々のバケットでも、隣り合う爪間でバケット先端部に係止できるように係止部材を移動させて、外れ止め状態で取付け部をバケットに固定できる。
【０００９】
〔効果〕
可撓長尺体を弾性限度内で湾曲変形させながら地中や地上の所望の配設位置に誘導するにあたって、可撓長尺体を引きずることなく、その配設位置に誘導することができ、可撓長尺体の誘導方向側に障害物が存在するような場合は、障害物の上方を迂回するように可撓長尺体を誘導することができるので、可撓長尺体を傷付けにくい状態で、その誘導作業を簡略化できる。
また、保持部を移動させるための特別な作業車を用意することなく、作業用アームの姿勢変更操作に加えて、保持部の上下揺動操作で、簡便に、可撓長尺体を繰り出し方向上手側部分と繰り出し方向下手側部分とに亘って、保持部を支点にして下向きに弾性的に湾曲変形させることができる。
また、爪の大きさや配置が異なる種々のバケットでも、バケット側に特別な加工を施すことなく、固縛具をバケットの隣り合う爪間に係止した外れ止め状態で、取付け部をバケットに固定できる。
【００１０】
請求項２記載の可撓長尺体誘導用支持具の特徴構成は、前記保持部を取り付けた作業用アームの姿勢変更操作に伴う、その保持部に保持している可撓長尺体の強制的な変形を緩和する変形緩和部を設けてある点にある。
【００１１】
〔作用〕
保持部を取り付けた作業用アームの姿勢変更操作に伴う、その保持部に保持している可撓長尺体の強制的な変形を緩和しながら、可撓長尺体を、繰り出し方向上手側部分と繰り出し方向下手側部分とに亘って、保持部を支点にして下向きに弾性的に湾曲変形させることができる。
【００１２】
〔効果〕
可撓長尺体を、繰り出し方向上手側部分と繰り出し方向下手側部分とに亘って、無理なく、保持部を支点にして下向きに弾性的に湾曲変形させることができる。
【００１３】
請求項３記載の可撓長尺体誘導用支持具の特徴構成は、前記保持部と前記取付け部とを相対回動可能に設けて、前記変形緩和部を構成してある点にある。
【００１４】
〔作用〕
作業用アームの姿勢変更操作で、その作業用アームに取り付けた保持部を、保持部と取付け部との相対回動軸芯に交差する方向に移動させるときに、その保持部に保持している可撓長尺体が、変形が少ない姿勢に戻ろうとして、保持部と共に取付け部に対して相対回動し、可撓長尺体の強制的な変形を緩和できる。
【００１５】
〔効果〕
可撓長尺体を保持部ごと取付け部に対して相対回動させるので、可撓長尺体を保持部で確実に保持しながら、可撓長尺体の強制的な変形を緩和できる。
【００１６】
【００１７】
【００１８】
【００１９】
【００２０】
【００２１】
【００２２】
【００２３】
【００２４】
【発明の実施の形態】
以下に本発明の実施の形態を図面に基づいて説明する。
〔第１実施形態〕
図１〜図３は、弾性的に曲げ変形可能なポリエチレン管（可撓長尺体の一例) Ａを弾性限度内で湾曲変形させながら地中への引き込み位置Ｅに誘導するために使用する管誘導用支持具（可撓長尺体誘導用支持具の一例) Ｃを示し、図４〜図１０は、道路Ｆ下に埋設してある老朽化した埋設管Ｂを更生又は更新するために、更生又は更新区間の地上側の道路Ｆを工事用に占有した状態で、その埋設管Ｂの内側にポリエチレン管Ａを引き込む都市ガス供給用の配管工事において、バックホウＤ（作業車の一例) に装備した作業用アームＧに管誘導用支持具Ｃを上下揺動操作自在に取り付けて、地上側に仮置きしてあるポリエチレン管Ａを地中への引き込み位置Ｅに誘導するポリエチレン管の地中引き込み用誘導方法を示している。
【００２５】
前記バックホウＤは、旋回台Ｄ１に上下揺動自在に支持したブームＧ１にアームＧ２を上下揺動自在に支持して設けてある作業用アームＧを、ブームＧ１を駆動揺動する油圧シリンダＧ３とアームＧ２を駆動揺動する油圧シリンダＧ４の伸縮作動による上下揺動操作と、旋回台Ｄ１の駆動旋回による旋回操作とによって、姿勢変更操作自在に設けてあり、アームＧ２に上下揺動自在に支持したバケットＨを駆動揺動する油圧シリンダＧ５を設けて、作業用アームＧ２の先端部にバケットＨを上下揺動操作自在に設けてある。
【００２６】
前記管誘導用支持具Ｃは、図１，図２に示すように、ポリエチレン管Ａを繰り出し可能に保持する保持部１と、作業用アームＧに装着したバケットＨに取付ることで、管誘導用支持具ＣをバケットＨと共に作業用アームＧに対して上下揺動操作自在に取付け可能な取付け部２と、保持部１に保持したポリエチレン管Ａをその保持部１から繰り出されるように駆動移動操作自在な繰り出し部３と、作業用アームＧの姿勢変更操作又は管誘導用支持具Ｃの上下揺動操作に伴う、その管誘導用支持具Ｃに支持しているポリエチレン管Ａの強制的な変形を緩和する変形緩和部４とを矩形の枠状フレーム５に設けてある。
【００２７】
前記保持部１は、ポリエチレン管Ａを挟持する一対の鼓形ローラ６ａ，６ｂの二組を枠状フレーム５の内側に前後に支持して、ポリエチレン管Ａを各組のローラ６ａ，６ｂで挟持しながら繰り出し可能に保持するように構成してあり、ローラ６ａ，６ｂの各々は、図３に示すように、その外周面に硬質ゴム層７ａと軟質ゴム層７ｂとを積層して、ポリエチレン管Ａの傷付きを防止できるようにしてある。
【００２８】
そして、枠状フレーム５の両外側にローラ取付けフレーム８を固定するとともに、各ローラ取付けフレーム８の遊端側にローラ支持フレーム９をローラ６ａ，６ｂの回転軸１１と平行な支軸１０周りで揺動自在に支持して、各組のローラ６ａ，６ｂのうちの、ポリエチレン管Ａを引き込み位置Ｅに誘導するときに上方側に位置させることになる上部ローラ６ａの回転軸１１を、枠状フレーム５に形成した長孔１２から突出させて、各ローラ支持フレーム９の揺動支軸１０を挟む両側に回転自在に支持し、ローラ支持フレーム９が所定姿勢に復帰揺動するように、ローラ取付けフレーム８を内側に挿通してある圧縮コイルバネ１３でローラ支持フレーム９を押圧付勢して、引き込み位置Ｅに誘導するポリエチレン管Ａを上下方向に揺動自在に保持できるように設けてある。
【００２９】
前記保持部１を、ポリエチレン管Ａを上下方向に揺動自在に保持できるように設けてあるので、保持部１を支点にして下向きに弾性的に湾曲変形しているポリエチレン管Ａの姿勢が、保持部１からのポリエチレン管Ａの繰り出し量の変動や、ポリエチレン管Ａの地中への引き込みにって作用する引っ張り力の変動に応じた姿勢になるように、保持部１に保持しているポリエチレン管Ａを上下方向に揺動させることができ、保持部１を支点にして下向きに弾性的に湾曲変形しているポリエチレン管Ａに無理な外力が作用しにくい状態で、ポリエチレン管Ａを引き込み位置に誘導できる。
【００３０】
前記取付け部２は、バケット底板Ｈ１をその爪Ｈ２側から入り込ませる幅狭の凹入部１４を形成してあるバケット挿入フレーム１５を、凹入部１４の左右両端が開口するように、コの字状に形成した支持ブラケット１６の左右両側に亘って固定して構成してあり、凹入部１４に挿入したバケット底板Ｈ１を、バケット挿入フレーム１５に螺合してある複数のボルト１７で締め付けて、バケットＨに取付け自在に設けてある。
【００３１】
前記繰り出し部３は、各組のローラ６ａ，６ｂのうちの、ポリエチレン管Ａを引き込み位置Ｅに誘導するときに下方側に位置させることになる下部ローラ６ｂの回転軸に固定したギア１８どうしを中間ギア１９で連動させて、リモコン２０で操作自在な減速機付きの駆動モータ２１による中間ギア１９の駆動回転で、保持部１に保持したポリエチレン管Ａをその保持部１から繰り出されるように駆動移動操作自在に設けてあり、駆動モータ２１の駆動停止によって下部ローラ６ｂの回転を制動して、ポリエチレン管Ａの自由移動を阻止できるようにしてある。
【００３２】
前記変形緩和部４は、枠状フレーム５の下部ローラ６ｂ側に位置するフレーム底板５ａと支持ブラケット１６の中間板材１６ａとを互いに平行に対向させて、ポリエチレン管Ａを引き込み位置Ｅに誘導するときに、枠状フレーム５を支持ブラケット１６の上側に位置させた状態で上下方向に略沿わせることになる縦軸芯Ｙ周りで相対回動自在に連結して、保持部１を作業用アームＧに対して、ポリエチレン管Ａを引き込み位置Ｅに誘導するときに上下方向に略沿う縦軸芯Ｙ周りで相対回動可能に構成し、保持部１と作業用アームＧとの縦軸芯Ｙ周りでの相対回動を規制可能な規制手段としての、フレーム底板５ａと中間板材１６ａとを解除自在に連結する連結ボルト２２を設けてある。
【００３３】
次に、上記管誘導用支持具Ｃを使用して、地上側に仮置きしてあるポリエチレン管Ａを地中への引き込み位置Ｅに誘導するポリエチレン管の地中引き込み用誘導方法を説明する。
【００３４】
図４に示すように、埋設管Ｂの更生又は更新区間の地上側、つまり、道路Ｆを工事用に占有した状態で、その更生又は更新区間の両端にピットＪ１，Ｊ２を掘削して、更生又は更新区間の埋設管Ｂの両端を開口させ、両ピットＪ１，Ｊ２間に亘って埋設管ｂの内側に牽引用ワイヤ２３を挿通する。
【００３５】
そして、ピットＪ１，Ｊ２の掘削に使用したバックホウＤのバケットＨに管誘導用支持具Ｃを取り付け、一方のピットＪ１内に開口させた埋設管Ｂの端部をポリエチレン管Ａの地中への引き込み位置Ｅとして、そのバックホウＤを、引き込み位置Ｅよりもポリエチレン管Ａの、図中の矢印で示す引き込み方向Ｋの下手側の地上側、つまり、更生又は更新区間の道路Ｆに設置して、管誘導用支持具ＣをバケットＨの上側に位置させた状態で、作業用アームＧをポリエチレン管Ａの一端側に向けておき、そのバックホウＤよりも引き込み方向Ｋの下手側に、ポリエチレン管Ａを引き込み方向Ｋに略沿わせて、かつ、その一端側を作業用アームＧの旋回中心及び引き込み位置Ｅに略向けて全長に亘って仮置きしておく。
【００３６】
次に、図５に示すように、管誘導用支持具Ｃの姿勢がポリエチレン管Ａを支持させ易い姿勢になるように、バケットＨを適宜揺動操作して、バケットＨの上側に位置させた管誘導用支持具Ｃに、ポリエチレン管Ａの一端側を引き込み方向Ｋの上手側に向けて繰り出し自在に、かつ、作業用アームＧに対して縦軸芯Ｙ周りで相対回動可能に支持する。
【００３７】
つまり、ポリエチレン管Ａの一端側を手動操作で保持部１のローラ６ａ，６ｂに押し付けて、駆動モータ２１の駆動回転で、図１、図２の仮想線で示すように、各組のローラ６ａ，６ｂ間に入り込ませ、保持部１と作業用アームＧとが縦軸芯Ｙ周りでの相対回動できるように連結ボルト２２を抜き取っておいて、ポリエチレン管Ａの一端側を作業用アームＧに対して縦軸芯Ｙ周りで相対回動可能に支持する。
【００３８】
そして、駆動モータ２１の駆動回転を停止して下部ローラ６ｂの回転を制動している状態で、バケットＨの上下揺動操作で、ポリエチレン管Ａの一端側が作業用アームＧに対して相対回動する縦軸芯Ｙが上下方向に略沿うように、管誘導用支持具Ｃの姿勢を調節しながら、図６に示すように、作業用アームＧの揺動操作で、管誘導用支持具Ｃをポリエチレン管Ａと共に上方に持ち上げる。
【００３９】
次に、図７，図８に示すように、作業用アームＧの略１８０°の角度に亘る旋回操作で、ポリエチレン管Ａを引きずりながら、管誘導用支持具Ｃをポリエチレン管Ａと共にピットＪ１の上方近くに移動させる。
この作業用アームＧの旋回時に、保持部１が作業用アームＧに対して上下方向に略沿う縦軸芯Ｙ周りで相対回動するので、ポリエチレン管Ａを、平面視で、略引き込み方向Ｋに沿わせた状態で、管誘導用支持具Ｃをポリエチレン管Ａと共にピットＪ１の略上方に移動させることができる。
【００４０】
次に、図９に示すように、繰り出し部３の駆動によって、管誘導用支持具Ｃから引き込み方向Ｋ上手側に向けてポリエチレン管Ａを繰り出し、管誘導用支持具Ｃに支持したポリエチレン管Ａを、バックホウＤの上方を迂回する姿勢で、管誘導用支持具Ｃよりも引き込み方向下手側の下手側管部分Ａ２と、管誘導用支持具Ｃから繰り出した引き込み方向上手側の上手側管部分Ａ１とに亘って、管誘導用支持具Ｃを支点にして自重で下向きに弾性的に湾曲変形させ、上手側管部分Ａ１の先端部に、連結金具２４を介して、牽引用ワイヤ２３を連結する。
【００４１】
そして、繰り出し部３の駆動によって、管誘導用支持具Ｃからポリエチレン管Ａを繰り出しながら、牽引用ワイヤ２３でポリエチレン管Ａを牽引して、ポリエチレン管Ａの湾曲姿勢を調節しながら、図１０に示すように、上手側管部分Ａ１を引き込み位置Ｅに誘導して、埋設管Ｂの内側に引き込む。
【００４２】
このとき、連結ボルト２２でフレーム底板５ａと中間板材１６ａとを連結して、保持部１と作業用アームＧとの縦軸芯Ｙ周りでの相対回動を規制することにより、上手側管部分Ａ１が左右に振られにくくなるので、ポリエチレン管Ａの引き込み位置Ｅへの誘導姿勢を安定させることができる。
【００４３】
〔第２実施形態〕
図１１，図１２は、取付け部２の別実施形態を示し、枠状フレーム５を縦軸芯Ｙ周りで相対回動自在に連結して保持部１を支持する支持部３０をバケット底板Ｈ１に当て付ける箱状に形成し、バケットＨにバケット前後方向に巻き回して支持部３０をバケット底板Ｈ１の底面側に固縛可能な複数の固縛具３１の両端を連結してある。
【００４４】
前記バケットＨは、複数の爪Ｈ２をバケット先端部で、その幅方向に間隔を隔ててその前方側に突出するように設けてあり、作業用アームＧへの連結部３２をバケット後方側に設けてある。
【００４５】
そして、バケットＨに固定した状態でバケット前方側に向ける支持部前面３０ａに軸部材３３をバケット幅方向に沿わせて支持するとともに、バケットＨに固定した状態でバケット後方側に向ける支持部後面３０ｂの左右二箇所にリング部材３４を固定して、各固縛具３１の両端を軸部材３３とリング部材３４とに連結してある。
【００４６】
前記固縛具３１の各々は、一端側を軸部材３３に連結してある係止部材３５の他端側と、一端側をリング部材３４に連結してあるワイヤ（索条体の一例) ３６の他端側とをターンバックル３７で連結して、ターンバックル３７の操作で支持部３０をバケットＨの底面側に固縛できるようにしてある。
【００４７】
前記係止部材３５は、Ｌ字状に屈曲させた丸棒３８の一端側を軸部材３３に揺動自在、かつ、バケット幅方向に移動自在に連結して、隣り合う爪Ｈ２間でバケット先端部に外れ止め状態で係止できるようにしてあり、丸棒３８の他端側に形成した雄ネジ部３８ａと、ワイヤの他端側に連結したアイボルト３９とにターンバックル３７をねじ込んである。
その他の構成は第１実施形態と同様である。
【００４８】
〔第３実施形態〕
図１３は、管誘導用支持具Ｃの別実施形態を示し、この管誘導用支持具Ｃは、バケットＨに代えて、作業用アームＧに上下揺動自在に取り付けるアタッチメントとして設けてある。
【００４９】
つまり、バケットＨに代えて管誘導用支持具Ｃをピン（図外) でアームＧ２に上下揺動自在に支持するためのピン挿通孔２５と、管誘導用支持具Ｃをピン（図外) で油圧シリンダＧ５に連結するピン挿通孔２６とを設けてある支持ブラケット１６で、作業用アームＧに上下揺動操作自在に取付け可能な取付け部２を構成してある。
【００５０】
そして、この支持ブラケット１６に枠状フレーム５を縦軸芯Ｙ周りで相対回動自在に連結して、ポリエチレン管Ａを引き込み位置Ｅに誘導するときに、保持部１を作業用アームＧに対して上下方向に略沿う縦軸芯Ｙ周りで相対回動可能に設けてある。
その他の構成は第１実施形態と同様である。
【００５１】
〔その他の実施形態〕
１．本発明による可撓長尺体誘導用支持具は、ポリエチレン管以外の各種樹脂製や金属製の可撓長尺体を、地中や地上の所望の配設位置に誘導するために支持するものであっても良い。
２．本発明による可撓長尺体誘導用支持具は、水道用や下水道用の可撓管や、可撓管を地中に引き込むために、予め、地中に挿通しておく可撓性を備えた地中推進管、地中にセメントミルクなどを注入する注入用ホースなどの可撓長尺体を、地中への引き込み位置に誘導するために支持するものであっても良い。
３．本発明による可撓長尺体誘導用支持具は、土木工事で開削した法面に土砂やセメントミルクなどを吹き付ける吹き付け用ホース，建設現場などで生コンクリートを供給するコンクリート供給用ホース、排水用などに使用するバキュームホース，錆除去などの表面処理に使用するブラスト用ホース、通信ケーブル、電力ケーブルなどの可撓長尺体を、地中や地上の所望の配設位置に誘導するために支持するものであっても良い。
４．本発明による可撓長尺体誘導用支持具は、バケット以外のバックホーのアタッチメントに取り付け可能な取り付け部を設けてあっても良い。
５．本発明による可撓長尺体誘導用支持具は、高所作業車の作業用アームに設けてある作業用ゴンドラや消火活動用のゴンドラなどに取り付け可能な取り付け部を設けてあっても良い。
６．本発明による請求項５記載の可撓長尺体誘導用支持具は、索条体としてのチェーンの一端側を支持部に連結し、他端側を係止部材に連結してあっても良い。
【図面の簡単な説明】
【図１】  可撓長尺体（可撓管) 誘導用支持具の側面図
【図２】  可撓長尺体（可撓管) 誘導用支持具の正面図
【図３】  要部の一部断面図
【図４】  可撓長尺体（可撓管) の地中引き込み用誘導方法の説明図で、（イ) は側面図、（ロ) は平面図
【図５】  可撓長尺体（可撓管) の地中引き込み用誘導方法の説明図で、（イ) は側面図、（ロ) は平面図
【図６】  可撓長尺体（可撓管) の地中引き込み用誘導方法の説明図で、（イ) は側面図、（ロ) は平面図
【図７】  可撓長尺体（可撓管) の地中引き込み用誘導方法の説明図で、（イ) は側面図、（ロ) は平面図
【図８】  可撓長尺体（可撓管) の地中引き込み用誘導方法の説明図で、（イ) は側面図、（ロ) は平面図
【図９】  可撓長尺体（可撓管) の地中引き込み用誘導方法を説明する側面図
【図１０】  可撓長尺体（可撓管) の地中引き込み用誘導方法を説明する側面図
【図１１】  第２実施形態の可撓長尺体（可撓管) 誘導用支持具の一部省略斜視図
【図１２】  第２実施形態の可撓長尺体（可撓管) 誘導用支持具の側面図
【図１３】  第３実施形態の可撓長尺体（可撓管) 誘導用支持具の側面図
【符号の説明】
Ａ    可撓長尺体
Ｄ    作業車（バックホウ)
Ｇ    作業用アーム
Ｈ    バケット
Ｈ２  爪
Ｋ    引き込み方向
Ｙ    軸芯
１    保持部
２    取付け部
３    繰り出し部
４    変形緩和部
３０  支持部
３１  固縛具
３５  係止部材
３６  索条体
【図１】
0003933476.tif 000002
【図２】
0003933476.tif 000003
【図３】
0003933476.tif 000004
【図４】
0003933476.tif 000005
【図５】
0003933476.tif 000006
【図６】
0003933476.tif 000007
【図７】
0003933476.tif 000008
【図８】
0003933476.tif 000009
【図９】
0003933476.tif 000010
【図１０】
0003933476.tif 000011
【図１１】
0003933476.tif 000012
【図１２】
0003933476.tif 000013
【図１３】
0003933476.tif 000014